(57)【要約】【目的】  本発明は、視認性を向上させることができ且つ電極を保護し得るタッチパネルを提供する。【構成】  タッチパネルＴは、第１透光性基材１００ａと、複数の第１電極２００ａと、第１低反射部材５００ａとを備えている。第１透光性基材１００ａは、タッチパネルＴの反入力面側に位置する第１面１１０ａと、タッチパネルＴの入力面側に位置する第２面１２０ａとを有している。第１電極２００ａは第１透光性基材１００ａの第１面１１０ａ上に間隔をあけて設けられている。第１低反射部材５００ａは第１電極２００ａを覆っている。【選択図】      図１Ｂ
2014194749.tif 000002
【特許請求の範囲】
【請求項１】
タッチパネルにおいて、
当該タッチパネルの反入力面側に位置する第１面および当該タッチパネルの入力面側に位置する第２面を有する第１透光性基材と、
前記第１透光性基材の前記第１面上に間隔をあけて配置された複数の第１電極と、
前記第１電極を覆う第１低反射部材とを備えたタッチパネル。
【請求項２】
請求項１記載のタッチパネルにおいて、
前記第１透光性基材の第２面上に配置された第１面、および当該第１面の裏側の第２面を有する第２透光性基材と、
前記第１電極に対して平面位置的に交差するように、前記第２透光性基材の前記第１面上に間隔をあけて配置された複数の第２電極と、
前記第２透光性基材の前記第２面上に設けられた第２低反射部材とを更に備えているタッチパネル。
【請求項３】
請求項２記載のタッチパネルにおいて、
前記第１透光性基材の前記第１面上に間隔をあけて配置され且つ前記第１電極に接続された複数の第１引き出し線と、
前記第１電極および前記第１引き出し線の少なくとも一方を覆う第１保護層と、
前記第２透光性基材の前記第１面上に間隔をあけて配置され且つ前記第２電極に接続された複数の第２引き出し線と、
前記第２電極および前記第２引き出し線の少なくとも一方を覆う第２保護層とを更に備えており、
前記第１透光性基材の第２面は、前記第２透光性基材の前記第１面および前記第２保護層の少なくとも一方に固着されており、
前記第１低反射部材は、前記第１電極を覆うように、前記第１透光性基材の前記第１面上および前記第１保護層上の少なくとも一方に設けられているタッチパネル。
【請求項４】
請求項３記載のタッチパネルにおいて、
前記第１透光性基材の前記第１面上に設けられており且つ少なくとも当該第１透光性基材と前記第１電極との間に介在した第１インデックスマッチング層と、
前記第２透光性基材の前記第１面上に設けられており且つ少なくとも当該第２透光性基材と前記第２電極との間に介在した第２インデックスマッチング層とを更に備えており、
前記第１保護層は、前記第１電極および前記第１引き出し線の少なくとも一方を覆うように、前記第１透光性基材の前記第１面上および前記第１インデックスマッチング層上の少なくとも一方に設けられており、
前記第２保護層は、前記第２電極および前記第２引き出し線の少なくとも一方を覆うように、前記第２透光性基材の前記第１面上および前記第２インデックスマッチング層上の少なくとも一方に設けられているタッチパネル。
【請求項５】
請求項１記載のタッチパネルにおいて、
前記第１電極に対して平面位置的に交差するように、前記第１透光性基材の前記第２面上に間隔をあけて配置された複数の第２電極と、
前記第２電極を覆う第２低反射部材とを更に備えているタッチパネル。
【請求項６】
請求項５記載のタッチパネルにおいて、
前記第１透光性基材の前記第１面上に間隔をあけて配置され且つ前記第１電極に接続された複数の第１引き出し線と、
前記第１電極および前記第１引き出し線の少なくとも一方を覆う第１保護層と、
前記第１透光性基材の前記第２面上に間隔をあけて配置され且つ前記第２電極に接続された複数の第２引き出し線と、
前記第２電極および前記第２引き出し線の少なくとも一方を覆う第２保護層とを更に備えており、
前記第１低反射部材は、前記第１電極を覆うように、前記第１透光性基材の前記第１面上および前記第１保護層上の少なくとも一方に設けられており、
前記第２低反射部材は、前記第２電極を覆うように、前記第１透光性基材の前記第２面上および前記第２保護層上の少なくとも一方に設けられているタッチパネル。
【請求項７】
請求項６記載のタッチパネルにおいて、
前記第１透光性基材の前記第１面上に設けられており且つ少なくとも当該第１透光性基材と前記第１電極との間に介在した第１インデックスマッチング層と、
前記第１透光性基材の前記第２面上に設けられており且つ少なくとも当該第１透光性基材と前記第２電極との間に介在した第２インデックスマッチング層とを更に備えており、
前記第１保護層は、前記第１電極および前記第１引き出し線の少なくとも一方を覆うように、前記第１透光性基材の前記第１面上および前記第１インデックスマッチング層上の少なくとも一方に設けられており、
前記第２保護層は、前記第２電極および前記第２引き出し線の少なくとも一方を覆うように、前記第１透光性基材の前記第２面上および前記第２インデックスマッチング層上の少なくとも一方に設けられているタッチパネル。
【請求項８】
請求項１記載のタッチパネルにおいて、
前記第１電極を覆うように、前記第１透光性基材の前記第１面上に設けられた絶縁膜と、
前記第１電極に対して平面位置的に交差するように、前記絶縁膜上に間隔をあけて配置された複数の第２電極と、
前記第１透光性基材の前記第２面上に配置された第２低反射部材とを更に備えており、
前記第１低反射部材が前記第１、第２電極を覆っているタッチパネル。
【請求項９】
請求項８記載のタッチパネルにおいて、
前記第１透光性基材の前記第１面上に間隔をあけて配置され且つ前記第１電極に接続された複数の第１引き出し線と、
前記第１透光性基材の前記第１面上に間隔をあけて配置され且つ前記第２電極に接続された複数の第２引き出し線と、
前記第１、第２電極又は前記第１、第２引き出し線を覆う第１保護層とを更に備えており、
前記第１低反射部材は、前記第１、第２電極を覆うように、前記絶縁膜上および前記第１保護層上の少なくとも一方に設けられているタッチパネル。
【請求項１０】
請求項９記載のタッチパネルにおいて、
前記第１透光性基材の前記第１面上に設けられており且つ少なくとも当該第１透光性基材と前記第１電極との間に介在した第１インデックスマッチング層を更に備えているタッチパネル。
【請求項１１】
請求項１〜８の何れかに記載のタッチパネルにおいて、
前記第１透光性基材はガラスで構成されており、当該第１透光性基材の厚み寸法が、０．０５〜２．０ｍｍであるタッチパネル。
【請求項１２】
請求項２〜４の何れかに記載のタッチパネルにおいて、
前記第２透光性基材はガラスで構成されており、当該第２透光性基材の厚み寸法が、０．０５〜２．０ｍｍであるタッチパネル。
【発明の詳細な説明】
【技術分野】
【０００１】
本発明はタッチパネルに関する。
【背景技術】
【０００２】
従来のタッチパネルとしては特許文献１の図１に記載されたものがある。このタッチパネルは、第１、第２透明フィルムと、複数の第１、第２電極とを備えている。第１透明フィルムは、第１面と、その裏側の第２面とを有している。第２透明フィルムは、第１面と、その裏側の第２面とを有している。第１電極は第１透明フィルムの第１面上に設けられている。第２電極は第２透明フィルムの第１面上に設けられている。第１透明フィルムの第２面と第２透明フィルムの第１面とが接着されている。第２透明フィルムの第２面がタッチ入力面となっている。タッチパネルはディスプレイに固着される（すなわち、第１透明フィルムの第１面はディスプレイに固着される）。
【先行技術文献】
【特許文献】
【０００３】
【特許文献１】特開２００９−２５９０６３号公報
【発明の概要】
【発明が解決しようとする課題】
【０００４】
第１透明フィルムの第１面上の第１電極は、当該第１面がディスプレイに固着されるまでの間露出している。すなわち、第１透明フィルムの第１面上の第１電極は、タッチパネルの製造工程中および／又はタッチパネルの輸送時に露出しているため、傷つく恐れがある。加えて、タッチパネルは直射日光の影響を受ける環境下で使用されるため、タッチパネルの視認性の向上が求められている。
【０００５】
本発明は、上記事情に鑑みて創案されたものであって、その目的とするところは、視認性を向上させることができ且つ電極を保護し得るタッチパネルを提供することにある。
【課題を解決するための手段】
【０００６】
本発明のタッチパネルは、第１透光性基材と、複数の第１電極と、第１低反射部材とを備えている。前記第１透光性基材は、当該タッチパネルの反入力面側に位置する第１面と、当該タッチパネルの入力面側に位置する第２面とを有している。前記第１電極は前記第１透光性基材の前記第１面上に間隔をあけて配置されている。前記第１低反射部材は、前記第１電極を覆っている。
【０００７】
このような態様のタッチパネルによる場合、第１電極が第１低反射部材に覆われて保護されるので、第１電極が傷つくのを防止することができる。しかも、第１透光性基材の反入力側の第１面上の第１電極を保護する部材として第１低反射部材が用いられているため、第１低反射部材と第１電極との境界面で光が反射するのを抑制することができる。よって、タッチパネルの視認性を向上させることができる。
【０００８】
前記タッチパネルは、第２透光性基材と、複数の第２電極と、第２低反射部材とを更に備えた構成とすることが可能である。前記第２透光性基材は、前記第１透光性基材の第２面上に配置された第１面と、当該第１面の裏側の第２面とを有する構成とすることが可能である。前記第２電極は、前記第１電極に対して平面位置的に交差するように、前記第２透光性基材の前記第１面上に間隔をあけて配置された構成とすることが可能である。前記第２低反射部材は、前記第２透光性基材の前記第２面上に設けられた構成とすることが可能である。
【０００９】
このような態様のタッチパネルによる場合、第２低反射部材によっても、光の反射が抑制されるので、タッチパネルの視認性を更に向上させることができる。
【００１０】
前記タッチパネルは、複数の第１引き出し線と、第１保護層と、複数の第２引き出し線と、第２保護層とを更に備えた構成とすることが可能である。前記複数の第１引き出し線は、前記第１透光性基材の前記第１面上に間隔をあけて配置され且つ前記第１電極に接続された構成とすることが可能である。前記第１保護層は、前記第１電極および前記第１引き出し線の少なくとも一方を覆う構成とすることが可能である。前記第２引き出し線は、前記第２透光性基材の前記第１面上に間隔をあけて配置され且つ前記第２電極に接続された構成とすることが可能である。前記第２保護層は、前記第２電極および前記第２引き出し線の少なくとも一方を覆う構成とすることが可能である。前記第１透光性基材の第２面は、前記第２透光性基材の前記第１面および前記第２保護層の少なくとも一方に固着された構成とすることが可能である。前記第１低反射部材は、前記第１電極を覆うように、前記第１透光性基材の前記第１面上および前記第１保護層上の少なくとも一方に設けられた構成とすることが可能である。
【００１１】
上記タッチパネルは、第１インデックスマッチング層を更に備えた構成とすることが可能である。前記第１インデックスマッチング層は、前記第１透光性基材の前記第１面上に設けられており且つ少なくとも当該第１透光性基材と前記第１電極との間に介在した構成とすることが可能である。前記第１保護層は、前記第１電極および前記第１引き出し線の少なくとも一方を覆うように、前記第１透光性基材の前記第１面上および前記第１インデックスマッチング層上の少なくとも一方に設けられた構成とすることが可能である。上記タッチパネルは、第２インデックスマッチング層を更に備えた構成とすることが可能である。前記第２インデックスマッチング層は、前記第２透光性基材の前記第１面上に設けられており且つ少なくとも当該第２透光性基材と前記第２電極との間に介在した構成とすることが可能である。前記第２保護層は、前記第２電極および前記第２引き出し線の少なくとも一方を覆うように、前記第２透光性基材の前記第１面上および前記第２インデックスマッチング層上の少なくとも一方に設けられた構成とすることが可能である。
【００１２】
又は、上記タッチパネルは、複数の第２電極と、第２低反射部材とを更に備えた構成とすることが可能である。前記第２電極は、前記第１電極に対して平面位置的に交差するように、前記第１透光性基材の前記第２面上に間隔をあけて配置された構成とすることが可能である。前記第２低反射部材は、前記第２電極を覆う構成とすることが可能である。
【００１３】
このような態様のタッチパネルによる場合、第２低反射部材によっても、光の反射が抑制されるので、タッチパネルの視認性を更に向上させることができる。
【００１４】
上記タッチパネルは、複数の第１引き出し線と、第１保護層と、複数の第２引き出し線と、第２保護層とを更に備えた構成とすることが可能である。前記第１引き出し線は、前記第１透光性基材の前記第１面上に間隔をあけて配置され且つ前記第１電極に接続された構成とすることが可能である。前記第１保護層は、前記第１電極および前記第１引き出し線の少なくとも一方を覆う構成とすることが可能である。前記第２引き出し線は、前記第１透光性基材の前記第２面上に間隔をあけて配置され且つ前記第２電極に接続された構成とすることが可能である。前記第２保護層は、前記第２電極および前記第２引き出し線の少なくとも一方を覆う構成とすることが可能である。前記第１低反射部材は、前記第１電極を覆うように、前記第１透光性基材の前記第１面上および前記第１保護層上の少なくとも一方に設けられた構成とすることが可能である。前記第２低反射部材は、前記第２電極を覆うように、前記第１透光性基材の前記第２面上および前記第２保護層上の少なくとも一方に設けられた構成とすることが可能である。
【００１５】
上記タッチパネルは、第１インデックスマッチング層を更に備えた構成とすることが可能である。前記第１インデックスマッチング層は、前記第１透光性基材の前記第１面上に設けられており且つ少なくとも当該第１透光性基材と前記第１電極との間に介在した構成とすることが可能である。前記第１保護層は、前記第１電極および前記第１引き出し線の少なくとも一方を覆うように、前記第１透光性基材の前記第１面上および前記第１インデックスマッチング層上の少なくとも一方に設けられた構成とすることが可能である。上記タッチパネルは、第２インデックスマッチング層を更に備えた構成とすることが可能である。前記第２インデックスマッチング層は、前記第１透光性基材の前記第２面上に設けられており且つ少なくとも当該第１透光性基材と前記第２電極との間に介在した構成とすることが可能である。前記第２保護層は、前記第２電極および前記第２引き出し線の少なくとも一方を覆うように、前記第１透光性基材の前記第２面上および前記第２インデックスマッチング層上の少なくとも一方に設けられた構成とすることが可能である。
【００１６】
又は、上記タッチパネルは、絶縁膜と、複数の第２電極と、第２低反射部材とを更に備えた構成とすることが可能である。前記絶縁膜は、前記第１電極を覆うように、前記第１透光性基材の前記第１面上に設けられた構成とすることが可能である。前記第２電極は、前記第１電極に対して平面位置的に交差するように、前記絶縁膜上に間隔をあけて配置された構成とすることが可能である。前記第２低反射部材は、前記第１透光性基材の前記第２面上に配置された構成とすることが可能である。前記第１低反射部材が前記第１、第２電極を覆う構成とすることが可能である。
【００１７】
このような態様のタッチパネルによる場合、第２低反射部材によっても、光の反射が抑制されるので、タッチパネルの視認性を更に向上させることができる。
【００１８】
上記タッチパネルは、複数の第１引き出し線と、複数の第２引き出し線と、第１保護層とを更に備えた構成とすることが可能である。前記第１引き出し線は、前記第１透光性基材の前記第１面上に間隔をあけて配置され且つ前記第１電極に接続された構成とすることが可能である。前記第２引き出し線は、前記第１透光性基材の前記第１面上に間隔をあけて配置され且つ前記第２電極に接続された構成とすることが可能である。前記第１保護層は、前記第１、第２電極又は前記第１、第２引き出し線を覆う構成とすることが可能である。前記第１低反射部材は、前記第１、第２電極を覆うように、前記絶縁膜上および前記第１保護層上の少なくとも一方に設けられた構成とすることが可能である。
【００１９】
上記タッチパネルは第１インデックスマッチング層を更に備えた構成とすることが可能である。前記第１インデックスマッチング層は、前記第１透光性基材の前記第１面上に設けられており且つ少なくとも当該第１透光性基材と前記第１電極との間に介在した構成とすることが可能である。
【００２０】
前記第１透光性基材はガラスで構成されている場合、当該第１透光性基材の厚み寸法を、０．０５〜２．０ｍｍとすることが可能である。このような態様のタッチパネルによる場合、第１透光性基材の材料費の低減と、第１電極の感度の向上を図ることができる。
【００２１】
前記第２透光性基材はガラスで構成されている場合、当該第２透光性基材の厚み寸法を、０．０５〜２．０ｍｍとすることが可能である。このような態様のタッチパネルによる場合、第２透光性基材の材料費の低減と、第２電極の感度の向上を図ることができる。
【００２２】
本発明のタッチパネルの製造方法は、第１透光性基材を用意し、前記第１透光性基材の第１面上に複数の第１電極を形成し、前記第１透光性基材の前記第１面上に前記第１電極を覆うように第１低反射部材を固着する一方、第２透光性基材を用意し、前記第２透光性基材の第１面上に複数の第２電極を形成し、前記第２透光性基材の前記第１面上に前記第２電極を覆うように保護層を形成し、その後、前記第１透光性基材の前記第１面の裏側の第２面と前記保護層とを接着させるようになっている。
【００２３】
このような態様のタッチパネルの製造方法による場合、第１電極が第１低反射部材により覆われている。第２電極が保護層により覆われている。よって、第１透光性基材の前記第１面の裏側の第２面と前記保護層とを接着させるまでの間および接着させた後に、第１、第２電極が傷つくのを防止することができる。
【００２４】
前記第１低反射部材を積層する前に、前記第１透光性基材の前記第１面上に前記第１電極を覆うように第１保護層を形成し、前記第１保護層上に第１低反射部材を固着させることが可能である。また、前記第２透光性基材の前記第１面の裏側の第２面に第２低反射部材を固着させることが可能である。前記第１透光性基材の第１面上には第１インデックスマッチング層が設けられた構成とすることが可能である。前記第２透光性基材の第１面上には第２インデックスマッチング層が設けられた構成とすることが可能である。
【図面の簡単な説明】
【００２５】
【図１Ａ】本発明の実施例に係るタッチパネルの概略的底面図である。
【図１Ｂ】前記タッチパネルの図１Ａ中の１Ｂ−１Ｂ断面図である。
【図２Ａ】前記タッチパネルの第１電極及び第１引き出し線が設けられた第１透光性基材の概略的底面図である。
【図２Ｂ】前記タッチパネルの第２電極及び第２引き出し線が設けられた第２透光性基材の概略的底面図である。
【図３Ａ】前記タッチパネルの第２透光性基材、第２電極、第２引き出し線、第２保護層および第２低反射部材の形成工程を示す図である。
【図３Ｂ】前記タッチパネルの第１透光性基材、第１電極、第１引き出し線、第１保護層および第１低反射部材の形成工程を示す図である。
【図３Ｃ】前記タッチパネルの第１、第２積層体の張り合わせ工程、および、ＦＰＣ接続工程を示す図である。
【図４】前記タッチパネルの第１設計変更例を示す断面図である。
【図５】前記タッチパネルの第２設計変更例を示す断面図である。
【発明を実施するための形態】
【００２６】
以下、本発明の実施例に係るタッチパネルについて図１Ａ〜図３Ｃを参照しつつ説明する。図１Ａ及び図１Ｂに示すタッチパネルＴは投影型静電容量方式のタッチパネルである。このタッチパネルＴは、第１、第２積層体と、ＦＰＣ（Flexible printed circuits）
６００（外部接続部）と、透明接着層７００とを備えている。以下、タッチパネルＴの各構成部材について詳しく説明する。なお、図１Ａ〜図２Ｂに示すＸ１はタッチパネルＴの幅方向の一方側であり、Ｘ２はタッチパネルＴの幅方向の他方側である。Ｙ１はタッチパネルＴの長さ方向の一方側であり、Ｙ２はタッチパネルＴの長さ方向の他方側である。Ｚ１はタッチパネルＴの厚み方向の一方側であり、Ｚ２はタッチパネルＴの厚み方向の他方側である。Ｙ１−Ｙ２方向は、Ｘ１−Ｘ２方向に直交している。Ｚ１−Ｚ２方向は、Ｙ１−Ｙ２方向およびＸ１−Ｘ２方向に直交している。
【００２７】
第１積層体は、第１透光性基材１００ａと、複数の第１電極２００ａと、複数の第１引き出し線３００ａと、第１保護層４００ａと、第１低反射部材５００ａとを備えている。第２積層体は、第２透光性基材１００ｂと、複数の第２電極２００ｂと、複数の第２引き出し線３００ｂと、第２保護層４００ｂと、第２低反射部材５００ｂとを備えている。
【００２８】
第２透光性基材１００ｂは、図１Ａ、図１Ｂ及び図２Ｂに示すように、透明なガラスシートである。第２透光性基材１００ｂの厚み寸法は、０．０５〜２．０ｍｍであり、１．１ｍｍであることがより好ましい。第２透光性基材１００ｂの厚み寸法が１．１ｍｍであることが、第２透光性基材１００ｂの材料費の低コストと、第２透光性基材１００ｂ上の第２電極２００ｂの高感度のとのバランスが最も良いからである。第２透光性基材１００ｂは、第１面１１０ｂと、第１面１１０ｂの裏側の第２面１２０ｂとを有している。第２面１２０ｂはタッチパネルＴの入力面側（表面側（Ｚ１方向側））に位置し、第１面１１０ｂはタッチパネルＴの反入力面側（裏面側（Ｚ２方向側））に位置している。換言すると、第２面１２０ｂは、Ｚ１−Ｚ２方向において、第１面１１０ｂよりも後述するタッチ入力面５２０ｂの近くに位置している。第２面１２０ｂ上には、第１引き出し線３００ａおよび／又は第２引き出し線３００ｂを覆うように加飾層を設けることが可能である。
【００２９】
第２低反射部材５００ｂは、図１Ｂに示すように、アンチグレア処理および／又は低反射処理された偏光板又は偏光フィルムである。第２低反射部材５００ｂは、第２透光性基材１００ｂの第２面１２０ｂ上に積層されている。第２低反射部材５００ｂはタッチパネルＴの最上層である。第２低反射部材５００ｂは、固着面５１０ｂと、固着面５１０ｂの裏側のタッチ入力面５２０ｂとを有している。固着面５１０ｂは、第２透光性基材１００ｂの第２面１２０ｂに固着されている。第２低反射部材５００ｂの固着面５１０ｂと第２透光性基材１００ｂの第２面１２０ｂとの間には空気層がほぼ存在しない。タッチ入力面５２０ｂは、指やタッチペン等の検出対象がタッチ可能なタッチパネルＴの外面（最上面）である。なお、第２透光性基材１００ｂが割れた場合、第２低反射部材５００ｂによって第２透光性基材１００ｂの飛散が防止され得る。
【００３０】
第２電極２００ｂは、図１Ａ、図１Ｂ及び図２Ｂに示すように、Ｙ１−Ｙ２方向に延びた長尺状の透明導電膜、導電ワイヤー又は導体である。第２電極２００ｂは、第２透光性基材１００ｂの第１面１１０ｂ上にＸ１−Ｘ２方向に間隔をあけて設けられている。前記透明導電膜は、ＩＴＯ（酸化インジウム＋酸化錫）、ＩＺＯ（酸化インジウム＋酸化亜鉛）、ＡＺＯ（ＡＩドープ酸化亜鉛）又は導電性高分子（ＰＥＤＯＴ又はＰＳＳ）等で構成されている。前記導電ワイヤーは、銀（Ａｇ）ナノワイヤー又は線幅１５μｍの以下メタルワイヤー等である。前記導体は、感光性銀やグラフオフセット等で作製された線幅１５μｍの以下の金属（例えば、Ａｇ、Ｃｕ）で構成された導体である。
【００３１】
第２引き出し線３００ｂは、図１Ａ、図１Ｂ及び図２Ｂに示すように、長尺状の透明導電膜、金属（例えば、銀（Ａｇ）、モリブデン（Ｍｏ）、アルミニウム（Ａｌ）又は銅（Ｃｕ））、合金（例えば、銀（Ａｇ）、パラジウム （Ｐｄ）および銅（Ｃｕ）の合金）又はメタルワイヤーである。前記透明導電膜は第２電極２００ｂの透明導電膜と同じ素材で構成することが可能である。第２引き出し線３００ｂは、第２透光性基材１００ｂの第１面１１０ｂ上に間隔をあけて設けられている。第２引き出し線３００ｂは、第１、第２端部を有している。第２引き出し線３００ｂの第１端部が第２電極２００ｂの端部に接続されている。
【００３２】
第２電極２００ｂが前記透明導電膜である場合、第２透光性基材１００ｂの第１面１１０ｂ上に、透明な第２インデックスマッチング層ＩＭｂ（第２屈折率調整層）が設けられた構成とすることが可能である。この場合、第２電極２００ａおよび第２引き出し線３００ｂは、第１面１１０ｂの第２インデックスマッチング層ＩＭｂ上に設けられている。第２インデックスマッチング層ＩＭｂは、第２透光性基材１００ｂと第２電極２００ｂとの間に介在している。第２電極２００ｂの前記透明導電膜の屈折率は約１．９〜２．０である。第２透光性基材１００ｂの屈折率は一般的に１．４〜１．６である。第２インデックスマッチング層ＩＭｂの屈折率は、第２透光性基材１００ｂの屈折率より大きく且つ第２電極２００ｂの前記透明導電膜の屈折率よりも小さい。第２インデックスマッチング層ＩＭｂにより、第２透光性基材１００ｂの屈折率と第２電極２００ｂの屈折率との差が縮められている（すなわち、両屈折率の差が調整されている）。なお、図２Ｂ〜図３Ｃでは、第２インデックスマッチング層ＩＭｂは図示省略されている。
【００３３】
第２保護層４００ｂは、図１Ｂに示すように、透明なアクリル系樹脂である。第２保護層４００ｂは、第２電極２００ｂおよび第２引き出し線３００ｂの第２端部以外の部分を覆うように第２透光性基材１００ｂの第１面１１０ｂ上に積層されている。第２保護層４００ｂと第２透光性基材１００ｂの第１面１１０ｂとの間にはほぼ空気層は存在しない。
【００３４】
第１透光性基材１００ａは、図１Ａ〜図２Ａに示すように、透明なガラスシートである。第１透光性基材１００ａの厚み寸法は、０．０５〜２．０ｍｍであり、０．５５ｍｍであるであることがより好ましい。第１透光性基材１００ａの厚み寸法が０．５５ｍｍであることが、第１透光性基材１００ａの材料費の低コストと、第１透光性基材１００ａ上の第１電極２００ａの高感度のとのバランスが最も良いからである。第１透光性基材１００ａは、第１面１１０ａと、第１面１１０ａの裏側の第２面１２０ａとを有している。第２面１２０ａは、透明接着層７００によって、第２保護層４００ｂに固着されている。第２面１２０ａは、第２透光性基材１００ｂの第１面１１０ｂに対向している。第２面１２０ａはタッチパネルＴの入力面側（表面側（Ｚ１方向側））に位置し、第１面１１０ａはタッチパネルＴの反入力面側（裏面側（Ｚ２方向側））に位置している。換言すると、第１面１１０ａは、Ｚ１−Ｚ２方向において第２面１２０ａよりもタッチ入力面５２０ｂから遠くに位置している。
【００３５】
第１電極２００ａは、図１Ａ〜図２Ａに示すように、Ｘ１−Ｘ２方向に延びた長尺状の透明導電膜、導電ワイヤー又は導体である。第１電極２００ａは、第１透光性基材１００ａの第１面１１０ａ上にＹ１−Ｙ２方向に間隔をあけて配設されている。第１電極２００ａは、第２電極２００ｂに対して平面位置的に略直角に交差している。前記透明導電膜は、ＩＴＯ（酸化インジウム＋酸化錫）、ＩＺＯ（酸化インジウム＋酸化亜鉛）、ＡＺＯ（
ＡＩドープ酸化亜鉛）又は導電性高分子（ＰＥＤＯＴ又はＰＳＳ）等で構成されている。前記導電ワイヤーは、銀（Ａｇ）ナノワイヤー又は線幅１５μｍの以下メタルワイヤー等である。前記導体は、感光性銀やグラフオフセット等で作製された線幅１５μｍの以下の金属（例えば、Ａｇ、Ｃｕ）で構成された導体である。
【００３６】
なお、第１、第２電極２００ａ、２００ｂの上記導電ワイヤーおよび上記導体は透明でない。しかし、第１、第２電極２００ａ、２００ｂが上記導電ワイヤー又は上記導体である場合であっても、第１、第２電極２００ａ、２００ｂの開口率を８０％以上にする（すなわち、タッチパネルＴの表示領域における第１、第２電極２００ａ、２００ｂの占有率を２０％以下にする）ことによって、当該第１、第２電極２００ａ、２００ｂが疑似的に透明になる。
【００３７】
第１引き出し線３００ａは、図１Ｂ〜図２Ａに示すように、長尺状の透明導電膜、金属（例えば、銀（Ａｇ）、モリブデン（Ｍｏ）、アルミニウム（Ａｌ）又は銅（Ｃｕ））、合金（例えば、銀（Ａｇ）、パラジウム （Ｐｄ）および銅（Ｃｕ）の合金）又はメタルワイヤーである。前記透明導電膜は第１電極２００ａの透明導電膜と同じ素材で構成することが可能である。第１引き出し線３００ａは、第１透光性基材１００ａの第１面１１０ａ上に間隔をあけて設けられている。第１引き出し線３００ａは、第１、第２端部を有している。第１引き出し線３００ａは、第１端部が第１電極２００ａのＸ１方向およびＸ２方向の端部の何れか一方に接続され、第２端部が第１透光性基材１００ａの第１面１１０ａの図２Ａの図示右側の２つの角部の何れか一方に位置するように引き回されている。
【００３８】
第１電極２００ａが前記透明導電膜である場合、第１透光性基材１００ａの第１面１１０ａ上には、透明な第１インデックスマッチング層ＩＭａ（第１屈折率調整層）が設けられた構成とすることが可能である。この場合、第１電極２００ａおよび第１引き出し線３００ａは、第１面１１０ａの第１インデックスマッチング層ＩＭａ上に設けられている。第１インデックスマッチング層ＩＭａは、第１透光性基材１００ａと第１電極２００ａとの間に介在している。第１電極２００ａの前記透明導電膜の屈折率は約１．９〜２．０である。第１透光性基材１００ａの屈折率は一般的に１．４〜１．６である。第１インデックスマッチング層ＩＭａの屈曲率は、第１透光性基材１００ａの屈折率より大きく且つ第１電極２００ａの前記透明導電膜の屈折率よりも小さい。第１インデックスマッチング層ＩＭａにより、第１透光性基材１００ａの屈折率と第１電極２００ａの屈折率との差が縮められている（すなわち、両屈折率の差が調整されている）。なお、図２Ａおよび図３Ａ〜図３Ｃでは、第１インデックスマッチング層ＩＭａは図示省略されている。
【００３９】
第１保護層４００ａは、図１Ｂに示すように、透明なアクリル系樹脂である。第１保護層４００ａは、第１電極２００ａおよび第１引き出し線３００ａの第２端部以外の部分を覆うように第１透光性基材１００ａの第１面１１０ａ上に積層されている。第１保護層４００ａと第１透光性基材１００ａの第１面１１０ａとの間にはほぼ空気層は存在しない。
【００４０】
第１低反射部材５００ａは、図１Ａ〜図１Ｂに示すように、ＬＲ（Ｌｏｗ  Ｒｅｆｌｅｃｔｉｖｅ）フィルムである。第１低反射部材５００ａは、第１電極２００ａおよび第１引き出し線３００ａの第２端部以外の部分を覆うように、第１保護層４００ａ上に設けられている。第１低反射部材５００ａはタッチパネルＴの最下層である。第１電極２００ａおよび第１引き出し線３００ａは、第１保護層４００ａおよび第１低反射部材５００ａにより保護されている。第１低反射部材５００ａと第１保護層４００ａとの間にはほぼ空気層は存在しない。
【００４１】
ＦＰＣ６００は、図１Ａ及び図１Ｂに示すように、一対の第１接続部６１０と、第２接続部６２０とを有している。第１接続部６１０は、第２接続部６２０の両端から延設されている。各第１接続部６１０は、第１透光性基材１００ａの第１面１１０ａの上記角部に
固着され、第１引き出し線３００ａの前記第２端部に接続されている。第２接続部６２０は、第２透光性基材１００ｂの第１面１１０ｂに固着され、第２引き出し線３００ｂに接続されている。ＦＰＣ６００によって、タッチパネルＴが、携帯端末装置やディスプレイ装置等の電子機器に接続可能となっている。
【００４２】
以下、上述した構成のタッチパネルＴの製造工程について図３Ａ〜図３Ｃを参照しつつ説明する。なお、ここでは、第１、第２電極２００ａ、２００ｂ及び第２引き出し線３００ｂはＩＴＯで構成されているものとし、第１引き出し線３００ａは銀で構成されているものとする。
【００４３】
以下の通り、タッチパネルＴの第２積層体（第２低反射部材５００ｂ、第２透光性基材１００ｂ、第２電極２００ｂ、第２引き出し線３００ｂおよび第２保護層４００ｂ）を形成する。まず、第２透光性基材１００ｂおよびインデックスマッチングフィルムを用意する。その後、第２透光性基材１００ｂの第１面１１０ｂ上に図示しないインデックスマッチングフィルム（第２インデックスマッチング層ＩＭｂ）を接着させる。その後、第１面１１０ｂの第２インデックスマッチング層ＩＭｂ上にＩＴＯ膜を形成する。その後、ＩＴＯ膜をエッチング等の周知の手法でパターニングする。これにより、図３Ａに示すように、第２透光性基材１００ｂの第１面１１０ｂの第２インデックスマッチング層ＩＭｂ上に複数の第２電極２００ｂが間隔をあけて形成されると共に、当該第１面１１０ｂの第２インデックスマッチング層ＩＭｂ上に複数の第２引き出し線３００ｂが第２電極２００ｂに連続するように形成される（図２Ｂ参照）。
【００４４】
その後、第２透光性基材１００ｂの第１面１１０ｂの第２インデックスマッチング層ＩＭｂ上に透明なアクリル系樹脂を塗布する。このとき、アクリル系樹脂と第２インデックスマッチング層ＩＭｂとの間に空気層が形成されないようにする。前記アクリル系樹脂が第２保護層４００ｂとなる。第２保護層４００ｂは、第１面１１０ｂの第２インデックスマッチング層ＩＭｂ上に固着され、当該の第２インデックスマッチング層ＩＭｂ上の第２電極２００ｂおよび第２引き出し線３００ｂの第２端部以外の部分を覆う。その後、第２透光性基材１００ｂの第２面１２０ｂと第２低反射部材５００ｂの固着面５１０ｂとの間に空気層が形成されないように、第２透光性基材１００ｂの第２面１２０ｂに第２低反射部材５００ｂの固着面５１０ｂを固着させる。なお、加飾層が第２透光性基材１００ｂの第２面１２０ｂ上に設けられる場合には、第２低反射部材５００ｂを第２面１２０ｂに接着させる前に、当該第２面１２０ｂ上にスクリーン印刷やグラビア印刷等を行うことにより又は加飾フィルムを貼付することにより、加飾層を形成する。
【００４５】
その一方で、以下の通り、タッチパネルＴの第１積層体（第１透光性基材１００ａ、第１電極２００ａ、第１引き出し線３００ａ、第１保護層４００ａおよび第１低反射部材５００ａ）を形成する。まず、第１透光性基材１００ａおよびインデックスマッチングフィルムを用意する。その後、第１透光性基材１００ａの第１面１１０ａ上に図示しないインデックスマッチングフィルム（第１インデックスマッチング層ＩＭａ）を張り付ける。その後、第１面１１０ａの第１インデックスマッチング層ＩＭａ上にＩＴＯ膜を形成する。その後、ＩＴＯ膜をエッチング等の周知の手法でパターニングする。これにより、図３Ｂに示すように、第１透光性基材１００ａの第１面１１０ａの第１インデックスマッチング層ＩＭａ上に複数の第１電極２００ａが間隔をあけて形成される。その後、第１透光性基材１００ａの第１面１１０ａの第１インデックスマッチング層ＩＭａ上に銀で配線印刷を行い、複数の第１引き出し線３００ａを形成する。このとき、第１引き出し線３００ａの第１端部が第１電極２００ａのＸ１方向およびＸ２方向の端部の何れか一方の上に重なるように印刷される。これにより、第１引き出し線３００ａが第１電極２００ａに接続される。
【００４６】
その後、第１透光性基材１００ａの第１面１１０ａの第１インデックスマッチング層ＩＭａ上に透明なアクリル系樹脂を塗布する。このとき、アクリル系樹脂と第１インデックスマッチング層ＩＭａとの間に空気層が形成されないようにする。前記アクリル系樹脂が第１保護層４００ａとなる。第１保護層４００ａが、第１面１１０ａの第１インデックスマッチング層ＩＭａ上に固着され、当該第１インデックスマッチング層ＩＭａ上の第１電極２００ａおよび第１引き出し線３００ａの第２端部以外の部分を覆う。その後、第１保護層４００ａと第１低反射部材５００ａとの間に空気層が形成されないように、第１保護層４００ａに第１低反射部材５００ａを接着させる。これにより、第１低反射部材５００ａが第１面１１０ａの第１インデックスマッチング層ＩＭａ上の第１電極２００ａを覆い保護する。
【００４７】
その後、タッチパネルＴの第２積層体とタッチパネルＴの第１積層体とを張り合わせる。具体的には、第２保護層４００ｂおよび／又は第１透光性基材１００ａの第２面１２０ｂ上に接着剤（透明接着層７００）を塗布する。その後、第２保護層４００ｂと第１透光性基材１００ａの第２面１２０ｂとを透明接着層７００で接着させる。これにより、タッチパネルＴの第２積層体とタッチパネルＴの第１積層体とが張り合わされ、第２電極２００ｂが第１電極２００ａに対して平面位置的に略直角に交差する。
【００４８】
その後、ＦＰＣ６００を用意する。その後、ＦＰＣ６００の第１接続部６１０を第１透光性基材１００ａの第１面１１０ａ上に異方性導電膜を用いて圧着する。これにより、第１接続部６１０が第１引き出し線３００ａに接続される。同様に、ＦＰＣ６００の第２接続部６２０を第２透光性基材１００ｂの第１面１１０ｂ上に異方性導電膜を用いて圧着する。これにより、第２接続部６２０が第２引き出し線３００ｂに接続される。
【００４９】
以上のようなタッチパネルＴは、以下の技術的特徴を有する。第１に、第１、第２電極２００ａ、２００ｂがタッチパネルＴの製造工程およびタッチパネルＴの搬送時において傷つくのを防止することができる。具体的には、第１積層体の形成工程において、第１面１１０ａ上に第１電極２００ａが形成された後、第１面１１０ａ上に第１電極２００ａを覆うように第１保護層４００ａが形成され、第１保護層４００ａ上に第１電極２００ａを覆うように第１低反射部材が固着される。このように第１電極２００ａは第１保護層４００ａおよび第１低反射部材５００ａに覆われるので、第１電極２００ａは、タッチパネルＴの製造工程およびその後において傷つかない。また、第２積層体の形成工程において、第１面１１０ｂ上に第２電極２００ｂが形成された後、第１面１１０ｂ上に第２電極２００ｂを覆うように第２保護層４００ｂが形成される。このように第２電極２００ｂは第２保護層４００ｂに覆われるので、第２電極２００ｂはタッチパネルＴの製造工程およびその後において傷つかない。
【００５０】
第２に、タッチパネルＴの視認性が向上する。その理由は以下の通りである。第１電極下に当該第１電極と屈折率が大きく異なる他の層（第１電極が露出している場合、前記他の層は空気層（屈折率が１））が存在する場合、第１電極と他の層の境界面で光が反射する。しかし、タッチパネルＴは、第１電極２００ａが第１保護層４００ａおよび第１低反射部材５００ａによって覆われている。第１保護層４００ａおよび第１低反射部材５００ａの屈折率は第１電極２００ａの屈折率に近いため、第１電極２００ａと第１保護層４００ａおよび第１低反射部材５００ａとの境界面で光が反射するのを抑制することができる。特に、第１電極２００ａが第１低反射部材５００ａで覆われることにより、光の反射が好適に抑制される。更に、第１インデックスマッチング層ＩＭａが、第１透光性基材１００ａと第１電極２００ａとの間に介在している場合、第１インデックスマッチング層ＩＭａにより、第１透光性基材１００ａの屈折率と第１電極２００ａの屈折率との差が縮められる。よって、第１透光性基材１００ａと第１電極２００ａとの境界面で光が反射するのを抑制することができる。第２インデックスマッチング層ＩＭｂが、第２透光性基材１００ｂと第２電極２００ｂとの間に介在している場合、第２インデックスマッチング層ＩＭｂにより、第２透光性基材１００ｂの屈折率と第２電極２００ｂの屈折率との差が縮められる。よって、第２透光性基材１００ｂと第２電極２００ｂとの境界面で光が反射するのを抑制することができる。また、第２低反射部材５００ｂによって光の反射が抑制される。
【００５１】
第３に、第１低反射部材５００ａは、光の反射を抑制する共に、第１電極２００ａを保護しており、第２低反射部材５００ｂは、光の反射を抑制する共に、第２透光性基材１００ｂが割れたときの飛散を防止し得る。すなわち、第１、第２低反射部材５００ａ、５００ｂは二つの機能を有しているので、タッチパネルＴは、当該第１、第２低反射部材５００ａ、５００ｂを備えることによってコストアップするのを抑制することができる。
【００５２】
第４に、タッチパネルＴの低コスト化および感度の向上を図ることができる。なぜなら、第１、第２透光性基材１００ａ、１００ｂの厚み寸法が０．０５〜２．０ｍｍであるため、第１、第２透光性基材１００ａ、１００ｂの材料費の低減を図ることができると共に、第１、第２電極２００ａ、２００ｂの感度を向上させることができるからである。
【００５３】
なお、上述したタッチパネルＴは、上記実施例に限定されるものではなく、特許請求の範囲の記載の範囲において、任意に設計変更することが可能である。以下、詳しく述べる。
【００５４】
上記実施例では、第２電極２００ｂは、第１電極２００ａに対して平面位置的に直角に交差するように第２透光性基材１００ｂの第１面１１０ｂ上に間隔をあけて設けられているとした。しかし、本発明の第２電極は、第１電極に対して平面位置的に交差するように配置されている限り任意に設定することが可能である。例えば、図４に示すタッチパネルＴ’ように、第２電極２００ｂ’が第１透光性基材１００ａの第２面１２０ｂ上にＸ１−Ｘ２方向に間隔をあけて配設され且つＹ１−Ｙ２方向に延びた構成に設計変更することが可能である。この第２電極２００ｂ’も第１電極２００ａに対して略直角に交差している。第２引き出し線３００ｂ’も第１透光性基材１００ａの第２面１２０ｂ上に設けられている。第２保護層４００ｂ’は、第２電極２００ｂ’および第２引き出し線３００ｂ’の第２端部以外の部分を覆うように第１透光性基材１００ａの第２面１２０ｂ上に設けられている。第２低反射部材５００ｂ’は第２保護層４００ｂ’上に積層されている。なお、第１透光性基材１００ａの第１面１１０ａ上に第１インデックスマッチング層ＩＭａが、第１透光性基材１００ａの第２面１２０ａ上に第２インデックスマッチング層ＩＭｂ’が設けられた構成とすることが可能である。第１インデックスマッチング層ＩＭａ上に第１電極２００ａが、第２インデックスマッチング層ＩＭｂ’上に第２電極２００ｂが設けられた構成とすることが可能である。
【００５５】
又は、図５に示すタッチパネルＴ’’のように、第１透光性基材１００ａの第１面１１０ａ上に、第１電極２００ａを覆うように絶縁膜８００が設けられている場合、第２電極２００ｂ’’は、絶縁膜８００上にＸ１−Ｘ２方向に間隔をあけて配設され且つＹ１−Ｙ２方向に延びた構成に設計変更することが可能である。この第２電極２００ｂ’’は第１電極２００ａに対して略直角に交差している。第２引き出し線３００ｂ’’は、第１透光性基材１００ａの第１面１１０ａ上に間隔をあけて設けられている。第２引き出し線３００ｂ’’は、第１、第２端部を有している。第２引き出し線３００ｂ’’は、第１端部が第２電極２００ｂ’’のＹ２方向の端部に接続され、第２端部が第１透光性基材１００ａの第１面１１０ａの図２Ａの図示右側の端部に位置するように引き回されている。第１引き出し線３００ａは、図５において図示されていないが、上記実施例と同様に第１透光性基材１００ａの第１面１１０ａに設けられている。第１保護層４００ａ’は、第１、第２電極２００ａ、２００ｂ’’および第１、第２引き出し線３００ａ、３００ｂ’’の第２端部以外の部分を覆うように絶縁膜８００及び第１透光性基材１００ａの第１面１１０ａ上に設けられている。第１低反射部材５００ａ’は第１、第２電極２００ａ、２００ｂ’’および第１、第２引き出し線３００ａ、３００ｂ’’の第２端部以外の部分を覆うように第１保護層４００ａ’上に設けられている。第２低反射部材５００ｂ’’は第１透光性基材１００ａの第２面１２０ａ上に積層されている。ＦＰＣ６００’は、第１透光性基材１００ａの第１面１１０ａに固着され、第１、第２引き出し線３００ａ、３００ｂ’’の第２端部に接続されている。なお、第１透光性基材１００ａの第１面１１０ａ上に第１インデックスマッチング層ＩＭａが設けられた構成とすることが可能である。第１面１１０ａの第１インデックスマッチング層ＩＭａ上に第１電極２００ａが設けられた構成とすることが可能である。
【００５６】
上記実施例および上記設計変形例では、第１透光性基材１００ａは、第１、第２面１１０ａ、１１０ｂを有する透明なガラスシートであるとした。しかし、本発明の第１透光性基材は、タッチパネルの反入力面側（裏面側）に位置する第１面と、当該タッチパネルの入力面側（表面側）に位置する第２面とを有し且つ透光性を有する部材である限り任意に設計変更することが可能である。例えば、第１透光性基材は、透光性を有するＰＥＴ等の樹脂フィルムに設計変更することが可能である。また、第１透光性基材は、透光性を有するリジットなガラス又は樹脂フィルムで構成することが可能であり、透光性を有するフレキシブルなガラス又は樹脂フィルムで構成することができる。第１透光性基材は、前述のリジット又はフレキシブルなガラスで構成されている場合も、当該第１透光性基材の厚み寸法を上記実施例と同様の厚み寸法とすることが可能である。
【００５７】
本発明の第１電極は、上述した第１透光性基材の第１面上に間隔をあけて配置されている限り任意に設計変更することが可能である。本発明の第１電極は、第１透光性基材の第１面上に直接設けられた構成であって良いし、第１透光性基材の第１面のインデックスマッチング層等の上に設けられた構成であっても良い。
【００５８】
本発明の第１低反射部材は、光の反射を低減し得るものであって、上述した第１電極を覆う限り任意に設計変更することが可能である。例えば、タッチパネルＴおよびＴ’において、第１低反射部材５００ａが、第１電極２００ａを覆うように、第１透光性基材１００ａの第１面１１０ａに設けられた構成とすることが可能である。この場合、第１保護層４００ａは省略される。タッチパネルＴ’’において、第１低反射部材５００ａ’が、第１、第２電極２００ａ、２００ｂ’’を覆うように、絶縁膜８００上に設けられた構成とすることが可能である。この場合、第１保護層４００ａ’は省略される。また、本発明の第１低反射部材は、タッチパネルの最下層に限定されない。すなわち、本発明のタッチパネルは、第１低反射部材の下側に保護層等の別の層を設けることが可能である。また、上述した第１低反射部材としてアンチグレア処理および／又は低反射処理が施された偏光板又は偏光フィルムを用いることが可能である。
【００５９】
本発明において、第２透光性基材は省略可能である（例えば、タッチパネルＴ’およびＴ’’）。また、本発明の第２透光性基材は、第１面および当該第１面の裏側の第２面を有し且つ透光性を有する部材であって、前記第１面が第１透光性基材の第２面に対向するように配置される限り任意に設計変更することが可能である。例えば、第２透光性基材は、透光性を有するＰＥＴ等の樹脂フィルムに設計変更することが可能である。また、第２透光性基材は、透光性を有するリジットなガラス又は樹脂フィルムで構成することが可能であり、透光性を有するフレキシブルなガラス又は樹脂フィルムで構成することができる。第２透光性基材は、前述のリジット又はフレキシブルなガラスで構成されている場合も、当該第２透光性基材の厚み寸法を上記実施例と同様の厚み寸法とすることが可能である。
【００６０】
本発明において、第２低反射部材は省略可能である。また、上述した第２低反射部材に代えて、第２透光性基材の第２面又は第１透光性基材の第２面上に保護層を設けることが可能である。また、上述した第２低反射部材はタッチパネルの最上層に限定されない。すなわち、本発明のタッチパネルは、第２低反射部材の上側に保護層又は化粧パネル等の別の層を設けることが可能である。本発明のタッチ入力面は、タッチパネルの最上面又は当該タッチパネルが備えられる電子機器のタッチ入力部の外面である限り任意に設計変更することが可能である。また、本発明の第２低反射部材は、光の反射を低減し得る限りどのようなものを用いても構わない。例えば、上述した第２低反射部材としてＬＲフィルムを用いることが可能である。
【００６１】
本発明において、第１インデックスマッチング層および／又は第２インデックスマッチング層は省略可能である。また、第１インデックスマッチング層は、第１電極が上記透明導電膜以外の素材で構成されている場合でも、第１透光性基材の第１面上に設けることが可能である。この第１インデックスマッチング層は、第１透光性基材の屈折率より大きく且つ第１電極の屈折率よりも小さい屈折率を有する素材で構成されていれば良い。第１インデックスマッチング層が第１透光性基材の第１面上に設けられた場合であっても、第１引き出し線は第１透光性基材の第１面上に設けられた構成とすることが可能である。第２インデックスマッチング層は、第２電極が上記透明導電膜以外の素材で構成されている場合でも、第２透光性基材の第１面又は第１透光性基材の第２面上に設けられた構成とすることが可能である。この第２インデックスマッチング層は、第１透光性基材又は第１透光
性基材の屈折率より大きく且つ第２電極の屈折率よりも小さい屈折率を有する素材で構成されていれば良い。第２インデックスマッチング層が第２透光性基材の第１面又は第１透光性基材の第２面上に設けられた場合であっても、第２引き出し線は第２透光性基材の第１面又は第１透光性基材の第２面上に設けられた構成とすることが可能である。
【００６２】
本発明において、第１保護層および／又は第２保護層は省略可能である。第１保護層が省略される場合、上述した第１低反射部材は、少なくとも第１電極を覆うように上述した第１透光性基材の第１面上に設けられた構成に設計変更することが可能である。第２保護層が省略される場合、上述した第１透光性基材の第２面は、上述した第２透光性基材の第１面又は第２低反射部材に固着されるように設計変更することが可能である。
【００６３】
本発明の第１保護層は、第１電極および第１引き出し線の少なくとも一方を覆う透光性を有する部材である限り任意に設計変更することが可能である。例えば、タッチパネルＴおよびＴ’において、第１保護層４００ａは、第１電極２００ａの一部、第１電極２００ａの全部又は第１引き出し線３００ａの第２端部以外の部分を覆うような形状に設計変更することが可能である。第１低反射部材５００ａは、第１電極２００ａを覆うように、第１保護層４００ａ上および第１透光性基材１００ａの第１面１１０ａ上に設けられている。タッチパネルＴ’’において、第１保護層４００ａ’は、第１、第２電極２００ａ、２００ｂ’’の一部、第１、第２電極２００ａ、２００ｂ’’の全部又は第１、第２引き出し線３００ａ、３００ｂ’’の第２端部以外の部分を覆うような形状に設計変更することが可能である。第１低反射部材５００ａ’は、第１、第２電極２００ａ、２００ｂ’’を覆うように、第１保護層４００ａ上および絶縁膜８００上に設けられている。
【００６４】
本発明の第２保護層は、第２電極および第２引き出し線の少なくとも一方を覆う透光性を有する部材である限り任意に設計変更することが可能である。例えば、タッチパネルＴにおいて、第２保護層４００ｂは、第２電極２００ｂの一部、第２電極２００ｂの全部又は第２引き出し線３００ｂの第２端部以外の部分を覆うような形状に設計変更することが可能である。第１透光性基材１００ａの第２面１２０ａは、第２保護層４００ｂおよび第２透光性基材１００ｂの第１面１１０ｂ上に固着される。タッチパネルＴ’において、第２保護層４００ｂ’は、第２電極２００ｂ’の一部、第２電極２００ｂ’の全部又は第２引き出し線３００ｂ’の第２端部以外の部分を覆うような形状に設計変更することが可能である。第２低反射部材５００ｂ’は、第２保護層４００ｂ’および第１透光性基材１００ａの第２面１２０ａに固着される。
【００６５】
上記実施例および上記設計変更例では、外部接続部がＦＰＣであるとした。しかし、本発明の外部接続部は、第１、第２電極を外部に接続可能なものである限り任意に設計変更することが可能である。例えば、外部接続部は、第１、第２電極に接続されたピン又はコネクタ等に設計変更することが可能である。更に、上述した第１、第２引き出し線の一部を外部接続部として使用することも可能である。
【００６６】
本発明のタッチパネルの製造方法は、第１透光性基材を用意し、前記第１透光性基材の第１面上に複数の第１電極を形成し、前記第１透光性基材の前記第１面上に前記第１電極を覆うように第１低反射部材を固着する一方、第２透光性基材を用意し、前記第２透光性基材の第１面上に複数の第２電極を形成し、前記第２透光性基材の前記第１面上に前記第２電極を覆うように保護層（第２保護層）を形成し、その後、前記第１透光性基材の前記第１面の裏側の第２面と前記保護層とを接着させる限り任意に設計変更することが可能である。前記第１透光性基材の前記第１面上に前記第１電極を形成する前に、前記第１透光性基材の第１面上に第１インデックスマッチング層を設け、その後、前記第１電極を前記第１インデックスマッチング層上に形成することが可能である。前記第２透光性基材の前記第１面上に前記第２電極を形成する前に、前記第２透光性基材の第１面上に第２インデ
ックスマッチング層を設け、その後、前記第２電極を前記第２インデックスマッチング層上に形成することが可能である。前記第１低反射部材を積層する前に、前記第１透光性基材の前記第１面上に前記第１電極を覆うように第１保護層を形成し、前記第１保護層上に第１低反射部材を固着させることが可能である。また、前記第２透光性基材の前記第１面の裏側の第２面に第２低反射部材を固着させることが可能である。
【００６７】
なお、上述したタッチパネルの各構成部材を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。
【符号の説明】
【００６８】
１００ａ・・・・第１透光性基材
１１０ａ・・・第１面
１２０ａ・・・第２面
１００ｂ・・・・第２透光性基材
１１０ｂ・・・第１面
１２０ｂ・・・第２面
２００ａ・・・・第１電極
２００ｂ・・・・第２電極
３００ａ・・・・第１引き出し線
３００ｂ・・・・第２引き出し線
４００ａ・・・・第１保護層
４００ｂ・・・・第２保護層
５００ａ・・・・第１低反射部材
５００ｂ・・・・第２低反射部材
６００・・・・・ＦＰＣ（外部接続部）
７００・・・・・接着層
ＩＭａ・・・・・第１インデックスマッチング層
ＩＭｂ・・・・・第２インデックスマッチング層
【図１Ａ】
2014194749.tif 000003
【図１Ｂ】
2014194749.tif 000004
【図２Ａ】
2014194749.tif 000005
【図２Ｂ】
2014194749.tif 000006
【図３Ａ】
2014194749.tif 000007
【図３Ｂ】
2014194749.tif 000008
【図３Ｃ】
2014194749.tif 000009
【図４】
2014194749.tif 000010
【図５】
2014194749.tif 000011
【手続補正書】
【提出日】平成26年3月6日(2014.3.6)
【手続補正１】
【補正対象書類名】明細書
【補正対象項目名】００３０
【補正方法】変更
【補正の内容】
【００３０】
第２電極２００ｂは、図１Ａ、図１Ｂ及び図２Ｂに示すように、Ｙ１−Ｙ２方向に延びた長尺状の透明導電膜、導電ワイヤー又は導体である。第２電極２００ｂは、第２透光性基材１００ｂの第１面１１０ｂ上にＸ１−Ｘ２方向に間隔をあけて設けられている。前記透明導電膜は、ＩＴＯ（酸化インジウム＋酸化錫）、ＩＺＯ（酸化インジウム＋酸化亜鉛）、ＡＺＯ（ＡＩドープ酸化亜鉛）又は導電性高分子（ＰＥＤＯＴ又はＰＳＳ）等で構成されている。前記導電ワイヤーは、銀（Ａｇ）ナノワイヤー又は線幅１５μｍ以下のメタルワイヤー等である。前記導体は、感光性銀やグラフオフセット等で作製された線幅１５μｍ以下の金属（例えば、Ａｇ、Ｃｕ）で構成された導体である。
【手続補正２】
【補正対象書類名】明細書
【補正対象項目名】００３５
【補正方法】変更
【補正の内容】
【００３５】
第１電極２００ａは、図１Ａ〜図２Ａに示すように、Ｘ１−Ｘ２方向に延びた長尺状の透明導電膜、導電ワイヤー又は導体である。第１電極２００ａは、第１透光性基材１００ａの第１面１１０ａ上にＹ１−Ｙ２方向に間隔をあけて配設されている。第１電極２００ａは、第２電極２００ｂに対して平面位置的に略直角に交差している。前記透明導電膜は、ＩＴＯ（酸化インジウム＋酸化錫）、ＩＺＯ（酸化インジウム＋酸化亜鉛）、ＡＺＯ（ＡＩドープ酸化亜鉛）又は導電性高分子（ＰＥＤＯＴ又はＰＳＳ）等で構成されている。前記導電ワイヤーは、銀（Ａｇ）ナノワイヤー又は線幅１５μｍ以下のメタルワイヤー等である。前記導体は、感光性銀やグラフオフセット等で作製された線幅１５μｍ以下の金属（例えば、Ａｇ、Ｃｕ）で構成された導体である。
【手続補正３】
【補正対象書類名】明細書
【補正対象項目名】００５４
【補正方法】変更
【補正の内容】
【００５４】
上記実施例では、第２電極２００ｂは、第１電極２００ａに対して平面位置的に直角に交差するように第２透光性基材１００ｂの第１面１１０ｂ上に間隔をあけて設けられているとした。しかし、本発明の第２電極は、第１電極に対して平面位置的に交差するように配置されている限り任意に設定することが可能である。例えば、図４に示すタッチパネルＴ’のように、第２電極２００ｂ’が第１透光性基材１００ａの第２面１２０ａ上にＸ１−Ｘ２方向に間隔をあけて配設され且つＹ１−Ｙ２方向に延びた構成に設計変更することが可能である。この第２電極２００ｂ’も第１電極２００ａに対して略直角に交差している。第２引き出し線３００ｂ’も第１透光性基材１００ａの第２面１２０ａ上に設けられている。第２保護層４００ｂ’は、第２電極２００ｂ’および第２引き出し線３００ｂ’の第２端部以外の部分を覆うように第１透光性基材１００ａの第２面１２０ａ上に設けられている。第２低反射部材５００ｂ’は第２保護層４００ｂ’上に積層されている。なお、第１透光性基材１００ａの第１面１１０ａ上に第１インデックスマッチング層ＩＭａが、第１透光性基材１００ａの第２面１２０ａ上に第２インデックスマッチング層ＩＭｂ’が設けられた構成とすることが可能である。第１インデックスマッチング層ＩＭａ上に第１電極２００ａが、第２インデックスマッチング層ＩＭｂ’上に第２電極２００ｂ’が設けられた構成とすることが可能である。
【手続補正４】
【補正対象書類名】明細書
【補正対象項目名】００６１
【補正方法】変更
【補正の内容】
【００６１】
本発明において、第１インデックスマッチング層および／又は第２インデックスマッチング層は省略可能である。また、第１インデックスマッチング層は、第１電極が上記透明導電膜以外の素材で構成されている場合でも、第１透光性基材の第１面上に設けることが可能である。この第１インデックスマッチング層は、第１透光性基材の屈折率より大きく且つ第１電極の屈折率よりも小さい屈折率を有する素材で構成されていれば良い。第１インデックスマッチング層が第１透光性基材の第１面上に設けられた場合であっても、第１引き出し線は第１透光性基材の第１面上に設けられた構成とすることが可能である。第２インデックスマッチング層は、第２電極が上記透明導電膜以外の素材で構成されている場合でも、第２透光性基材の第１面又は第１透光性基材の第２面上に設けられた構成とすることが可能である。この第２インデックスマッチング層は、第１透光性基材又は第２透光性基材の屈折率より大きく且つ第２電極の屈折率よりも小さい屈折率を有する素材で構成されていれば良い。第２インデックスマッチング層が第２透光性基材の第１面又は第１透光性基材の第２面上に設けられた場合であっても、第２引き出し線は第２透光性基材の第１面又は第１透光性基材の第２面上に設けられた構成とすることが可能である。
【手続補正５】
【補正対象書類名】明細書
【補正対象項目名】００６３
【補正方法】変更
【補正の内容】
【００６３】
本発明の第１保護層は、第１電極および第１引き出し線の少なくとも一方を覆う透光性を有する部材である限り任意に設計変更することが可能である。例えば、タッチパネルＴおよびＴ’において、第１保護層４００ａは、第１電極２００ａの一部、第１電極２００ａの全部又は第１引き出し線３００ａの第２端部以外の部分を覆うような形状に設計変更することが可能である。第１低反射部材５００ａは、第１電極２００ａを覆うように、第１保護層４００ａ上および第１透光性基材１００ａの第１面１１０ａ上に設けられている。タッチパネルＴ’’において、第１保護層４００ａ’は、第１、第２電極２００ａ、２００ｂ’’の一部、第１、第２電極２００ａ、２００ｂ’’の全部又は第１、第２引き出し線３００ａ、３００ｂ’’の第２端部以外の部分を覆うような形状に設計変更することが可能である。第１低反射部材５００ａ’は、第１、第２電極２００ａ、２００ｂ’’を覆うように、第１保護層４００ａ’上および絶縁膜８００上に設けられている。